(57)【要約】【課題】  足場を組むことなく，建物開口部毎に設置することによって建物開口部の工事をなし得るようにした養生装置を提供する。【解決手段】  横枠１２，２１と縦枠１３，２２とを固定して室外側設置の養生枠１１と室内側設置のサポート枠２０を形成し，サポート枠２０の縦枠２２に設置した腕木２３によって養生枠１１を引寄せ状に保持するようにして養生装置１０とする。養生枠１１の横枠１２と縦枠１３には躯体壁面３側に向けてそれぞれ支持脚１４を一体に備えることによって，該支持脚１４が建物開口部４周縁の躯体壁面３に対接した状態として養生枠１１の内部をパネルやシートによって密封するように封止して建物開口部４の斫り工法による窓改装工事に際してコンクリート片や塵埃が落下するのを防止する。【選択図】        図２
2006152695.tif 000002
【特許請求の範囲】
【請求項１】
支持脚を建物開口部の躯体壁面外側に対接して該建物開口部を囲繞するようにその室外側に持ち出し配置する室外配置用の養生枠と，該養生枠を建物開口部の室内側において引寄せ状に保持する室内配置用のサポート枠とを備えてなることを特徴とする建物開口部工事用の養生装置。
【請求項２】
上記養生枠の引寄せ状の保持を，建物開口部の室内にサポート枠を起立固定して上記養生枠と該サポート枠間を腕木により連結することによって行ってなることを特徴とする請求項１に記載の建物開口部工事用の養生装置。
【請求項３】
上記養生枠の引寄せ状の保持を，建物開口部の躯体壁面内側に支持脚を対接し上記養生枠と該サポート枠間を緊結材により緊結して養生枠とサポート枠で躯体壁面を挟持することによって行なってなることを特徴とする請求項１に記載の建物開口部工事用の養生装置。
【発明の詳細な説明】
【技術分野】
【０００１】
本発明は，例えば窓改装等の建物開口部の工事に使用する建物開口部工事用の養生装置に関する。
【背景技術】
【０００２】
例えばビル等既存建物のサッシを交換設置する窓改装工事を行なうとき，いわゆる斫り工法，カバー工法等によってこれを行うものとされるが，斫り工法の場合は既設サッシ枠を撤去するために建物のコンクリート壁を斫る作業を伴うためにコンクリート片や塵埃が室外側に落下することになり，またコンクリート壁を斫ることのないカバー工法の場合でも，部品や工具等の落下の可能性を否定できない。従ってこのように窓改装を含めて建物開口部の工事を行なうに際しては落下の危険性を避けるために，例えば建物外壁側に地上から該建物外壁の全体に亘るように足場を設置してこれをシートで被覆することによってその養生を行なうものとされる。
【０００３】
【非特許文献１】財団法人建築保全センター  平成１５年１０月２２日発行                        「建築改修工事監理指針（上巻）」
【発明の開示】
【発明が解決しようとする課題】
【０００４】
しかし乍ら建物外壁側に地上から全体に亘るようにシートで被覆した足場を設置すると，工事対象以外の中間階のプライバシーや開口の視界が損われる可能性があるし，足場設置には専門業者による作業が必要となり，工事完成後には再度専門業者による撤去作業が必要となるから，建物開口部の工事に際して該工事外の養生のための作業により工事期間が延びるとともにそのコストにより工事費用が増大する要因となっている。
【０００５】
本発明はこのような事情に鑑みてなされたもので，その解決課題とするところは，シート被覆の足場を設置することなく専門業者による養生の期間とコストを不要化して，建物開口部の工事に際して簡単な構造によって可及的容易且つ確実に養生をなし得るようにした建物開口部工事用の養生装置を提供するにある。
【課題を解決するための手段】
【０００６】
上記課題に添って本発明は，室外側の養生枠と室内側のサポート枠を対として備え，室内側のサポート枠によって室外側の養生枠を引寄せ状に保持することによって，建物開口部の工事に際して室内側から建物開口部毎の養生を可能とするとともに簡単な構造にして可及的容易にその設置と撤去をなし得るようにしたものであって，即ち請求項１に記載の発明を，支持脚を建物開口部の躯体壁面外側に対接して該建物開口部を囲繞するようにその室外側に持ち出し配置する室外配置用の養生枠と，該養生枠を建物開口部の室内側において引寄せ状に保持する室内配置用のサポート枠とを備えてなることを特徴とする建物開口部工事用の養生装置としたものである。
【０００７】
請求項２及び３に記載の発明は，上記に加えて，それぞれサポート枠による養生枠の引寄せ状の保持を安定且つ強固になし得るものとして，養生枠を室外側に設置することの危険を解消して養生作用を高度に確保したものとし得るように，請求項２に記載の発明を，上記養生枠の引寄せ状の保持を，建物開口部の室内にサポート枠を起立固定して上記養生枠と該サポート枠間を腕木により連結することによって行ってなることを特徴とする請求項１に記載の建物開口部工事用の養生装置とし，また請求項３に記載の発明を，上記養生枠の引寄せ状の保持を，建物開口部の躯体壁面内側に支持脚を対接し上記養生枠と該サポート枠間を緊結材により緊結して養生枠とサポート枠で躯体壁面を挟持することによって行なってなることを特徴とする請求項１に記載の建物開口部工事用の養生装置としたものである。
【０００８】
本発明はこれらをそれぞれ発明の要旨として上記課題解決の手段としたものである。
【発明の効果】
【０００９】
本発明は以上のとおりに構成したから，請求項１に記載の発明は，室外側の養生枠と室内側のサポート枠を対として備え，室内側のサポート枠によって室外側の養生枠を引寄せ状に保持することによって，建物開口部の工事に際して室内側から建物開口部毎の養生を可能とするとともに簡単な構造にして可及的容易にその設置と撤去をなし得るようにして，シート被覆の足場を設置することなく専門業者による養生の期間とコストを不要化して，建物開口部の工事に際して簡単な構造によって可及的容易且つ確実に養生をなし得るようにした建物開口部工事用の養生装置を提供することができる。
【００１０】
請求項２及び３に記載の発明は，上記に加えて，それぞれサポート枠による養生枠の引寄せ状の保持を安定且つ強固になし得るものとして，養生枠を室外側に設置することの危険を解消して養生作用を高度に確保したものとすることができる。
【発明を実施するための最良の形態】
【００１１】
以下図面の例に従って本発明を更に具体的に説明すれば，図１乃至図８において，１０は養生装置であり，該養生装置１０は，支持脚１４を建物開口部４の躯体壁面３外側に対接して該建物開口部４を囲繞するようにその室外側に持ち出し配置する室外配置用の養生枠１１と，該養生枠１１を建物開口部４の室内側において引寄せ状に保持する室内配置用のサポート枠２０とを備えて，例えば窓改装等の建物開口部工事用のものとしてある。
【００１２】
このとき本例の上記養生枠１１の引寄せ状の保持は，これを，建物開口部４の室内にサポート枠２０を起立固定して上記養生枠１１と該サポート枠２０間を腕木２３により連結することによって行ったものとしてあり，本例にあって該腕木２３は，これをサポート枠２０に配置し該腕木２３によって養生枠１１を連結保持するものとしてある。
【００１３】
本例にあって養生枠１１とサポート枠２０とによる養生装置１０は，例えばこれら養生枠１１及びサポート枠２０を鋼製枠材，例えば養生枠１１に足場用パイプ，サポート枠２０に形鋼を用い，その所定の交差位置においてそれぞれクランプ乃至ボルト，本例にあってはクランプ３０によって固定することによってこれを形成してある。
【００１４】
養生枠１１は，鋼製枠材，例えば上記足場用パイプによる複数の横枠１２及び縦枠１３とによって格子状としてその横枠１２乃至縦枠１３に同じく足場用パイプによる短尺の支持脚１４を躯体壁面３側に向けて直交するように配置した正面格子状にして背面に支持脚１４を有するものとし，その内側に養生被覆材としてパネル１５，１６乃至シート１７を配置固定したものとしてある。
【００１５】
本例の横枠１２は４本，縦枠１３は２本を用い，横枠１２の幅方向中間にそれぞれ縦枠１３を配置する一方，横枠１２及び縦枠１３の長手方向両端に上記短尺多数，本例にあっては合計１２本の支持脚１４を外周に沿って点在するように配置して養生枠１１を形成してあり，このとき本例にあって該支持脚１４は，これを上記４本の横枠１２及び２本の縦枠１３の各長手方向両端に溶着固定することによってそれぞれ横枠１２及び縦枠１３に一体に配置したものとしてある。
【００１６】
養生被覆材は，例えば養生枠１１の内側底面と正面下部に，厚肉合板製の底板パネル１５と正面パネル１６とを配置し，その余の正面上部，側面及び上面には工事用シートや樹脂シート等のシート１７をそれぞれ張設固定して養生枠１１の全面をその内側で覆うようにしてある。このときパネルは，底板パネル１５において下端の横枠１２と支持脚１４上に載置して紐乃至ワイヤーで結束固定した桟木１８に対してネジ又は釘等によって金具固定し，正面パネル１６において該当位置の横枠１２に同じく紐乃至ワイヤーで結束固定した桟木１８に対して同様にネジ又は釘によって金具固定してある。またシート１７は上端の支持脚１４の先端乃至中間位置及び上端側の横枠１２に対して紐乃至ワイヤーによって結束固定する一方，正面パネル１６との重合部分で上記正面パネル１６に設置した桟木１８に対してネジ，釘等によって金具固定してある。更に底板パネル１５と躯体，底板パネル１５と正面パネル１６間等には，それぞれ，例えば接着テープ１９を貼着する等してこれらの間に生じることある空隙を閉塞することによって養生枠１１の内側を密封空間とするようにその封止を行なったものとしてある。
【００１７】
サポート枠２０は，同じく鋼製枠材，例えばＨ形鋼による複数の縦枠２２とこれに架設固定したアングル材による縦枠２２長手方向中間の横枠２１とによるものとするとともに，本例にあって縦枠２２長手方向中間位置に室外側，即ち養生枠側に向けて該縦枠２２に直交するように水平の腕木２３を配置固定したものとしてあり，このとき本例のサポート枠２０は，横方向に一対の縦枠２２と中間単一の横枠２１によって正面Ｈ字状をなすようにし，その各縦枠２２の長手方向略中央位置に，例えば同じくＨ形鋼による水平の腕木２３をボルトナット等で固定して，該サポート枠２０側に設置した腕木２３によってクランプ３０を用いた接合固定によって上記養生枠１１の保持を行なうようにしてあり，このとき該クランプ３０はこれを各水平の腕木２３の先端に上下又はその一方，本例にあっては上下にそれぞれ溶着固定することによって一対のものとしてある。また本例にあっては該水平の腕木２３を下支え乃至上吊り支持するように縦枠２２との間に同じく鋼製枠材，例えばＣ字鋼による方杖２４を介設することによって腕木２３の補強を行ったものとしてある。
【００１８】
またサポート枠２０における縦枠２２は，例えば建物の梁又はスラブ１面に対してアンカー固定するようにその上下端部に固定プレート２５を備えたものとしてあり，本例にあって上端の固定プレート２５は，例えば図７に示すように縦枠２２上端に横方向に向けて垂直に張出突設するように溶着固定した梁２側面用の固定プレートか，図８に示すように縦枠２２上端に同じく横方向に向けて水平に張出突設するように溶着固定したスラブ１下面用の固定プレートによるものとしてあり，また下端の固定プレート２５は，縦枠２２下端に横方向に向けて水平に張出突設するように溶着固定したスラブ１上面用の固定プレートによるものとしてある。
【００１９】
本例のサポート枠２０は，例えば予め工事現場の寸法を測定し，サポート枠２０の室内側設置位置から養生枠１１の支持位置までの長さに応じて上記腕木２３長さを相当程度厳密に設定したものとして個別製作することによって，該サポート枠２０の腕木２３を養生枠１１に連結したときに該養生枠１１を支持脚１４の外壁面対接状態で室内側に引寄せ状としてその保持をなし得るようにしてある。
【００２０】
本例の養生装置１０は，例えば養生枠１１及びサポート枠２０を分解した状態として，養生枠１１用の横枠１２，縦枠１３，サポート枠２０用の固定プレート２５付縦枠２２，横枠２１，腕木２３等のセットとして現場に搬入して，これを設置対象の建物開口枠４毎に現場で組み立てて養生装置１０として該建物開口部４に個別に設置するようにしてある。
【００２１】
即ち養生装置１０の建物開口部４への設置は，引違いサッシのサッシ戸を取外し，嵌め殺しサッシのガラスを取外す等して建物開口部４を開放し，例えばサポート枠２０の固定位置に応じて天井乃至床に縦枠２２上端を挿入する切欠き孔を設置し，該切欠孔に縦枠２２を挿入してその上端の固定プレート２５をスラブ１又は梁２にアンカー固定するとともに下端の固定プレート２５をスラブ１上面にアンカー固定して建物開口部４の室内側で躯体に対して上記一対の縦枠２２を起立固定し，該縦枠２２間に横枠２１をボルトナット等で架設固定する一方，上記縦枠２２にそれぞれ水平の腕木２３を，また該水平の腕木２３と縦枠２２間の方杖２４をそれぞれボルトナット等で固定することによってサポート枠２０を組立設置し，その後に例えば上記水平の腕木２３に対してそれぞれ養生枠１１における長手方向両端のそれぞれ上下に支持脚１４を一体に備えた２本の縦枠１３を腕木２３先端上下に溶着固定したクランプ３０で接合固定し，上記支持脚１４がそれぞれ建物開口部４の躯体壁面３外側上下に対接した状態に引寄せ状として該２本の縦枠１３を配置し，該縦枠１３をフレーム組みするように該縦枠１３に上記長手方向両端の左右に支持脚１４を一体に備えた４本の横枠１２をそれぞれその交点でクランプ３０によって接合固定して同様に支持脚１４が建物開口部４の躯体壁面３外側左右に対接した状態に引寄せ状として該４本の横枠１２を配置し，上記縦枠１３下端の支持脚１４及び該当位置の横枠１２に対して桟木１８をそれぞれ結束固定し，該桟木１８に養生被覆材の底板パネル１５及び正面パネル１６を金具固定し，然る後にその余に養生被覆材のシート１７を設置し且つ接着テープ１９で空隙を塞ぐようにして，建物開口部４にサポート枠２０に保持した養生枠１１を個別に設置するようにしてあり，該養生装置１０の設置後に，例えば既設サッシ枠を固定した建物開口部４のコンクリート躯体を室内側から部分的に斫って新設サッシ枠を固定する斫り工法や残存した既設サッシ枠に連結金具を介して新設サッシ枠を設置するカバー工法等によって窓改装を行なう等の建物開口部工事を行い，該工事終了後には上記底板パネル１５等を清掃し，上記と逆の手順によってその解体除去を行なうようにするものとしてある。
【００２２】
図９乃至図１２は，他の例を示すもので，本例にあって養生装置１０は，上記養生枠１１の引寄せ状の保持を，建物開口部４の躯体壁面３内側に支持脚１４を対接し上記養生枠１１と該サポート枠２０間を緊結材により緊結して養生枠１１とサポート枠２０で躯体壁面３を挟持することによって行なったものとしてある。
【００２３】
本例にあって養生枠１１及びサポート枠２０は，例えば比較的軽量なアルミ押出形材による横枠１２と縦枠１３とを用い，該横枠１２と縦枠１３が交差する交点で相互に回動自在に軸支固定することによって伸縮自在のものとしてあり，これによって工事現場で伸張した養生枠１１及びサポート枠２０として使用し，縮小して折畳み輸送や保管をなし得るようにしてあり，また緊結材を養生枠１１とサポート枠２０間に配置したターンバックル５１付きのワイヤー乃至チェーン５２とし，その緊結をターンバックル５１の回転操作によって養生枠１１とサポート枠２０を躯体壁面３を挟んで相互に引寄せ連結して行なうものとしてある。
【００２４】
即ち本例の養生枠１１は，横枠１２を複数，例えば３本用い，縦枠１３を単一又は複数，本例にあっては単一の１本用い，横枠１２の幅方向中央に縦枠１３を配置する一方，横枠１２の長手方向両端にそれぞれ上記短尺の支持脚１４を溶着乃至突合せネジ止めによって一体に配置したものとし，横枠１２と縦枠１３の各交点を，これらの間に滑りワッシャー４０を介して，例えばステンレス製のボルトナット４１によって締着することによって上記回動自在の軸支固定を行なうことにより，単一の縦枠１３を基準にして各横枠１２を回動して養生枠１１としての伸縮をなし得るようにしてある。
【００２５】
またサポート枠２０は，横枠２１を複数，例えば２本用い，縦枠２２を単一又は複数，本例にあっては単一の１本用い，養生枠１１と同様に横枠２１の幅方向中央に縦枠２２を配置し且つ横枠２１の長手方向両端にそれぞれ短尺の支持脚１４を一体に配置したものとし，横枠２１と縦枠２２の交点を同様に滑りワッシャー４０を介したボルトナット４１締着によって回動自在に軸支固定し，縦枠２２を基準にして各横枠２１を回動してサポート枠２０としての伸縮をなし得るようにしてある。
【００２６】
緊結材によるこれら養生枠１１とサポート枠２０の緊結は，上記ターンバックル５１付きのワイヤー乃至チェーン５２を複数，本例にあっては２本用いて双方を引寄せ連結してこれを行なうようにしてあり，養生枠１１とサポート枠２０は，例えばその各縦枠１３，２２の対向面長手方向複数，本例にあっては２箇所にフック乃至丸環等の連結部５０を設置し，該２箇所の連結部５０間に長手方向中間位置にターンバックル５１を介したワイヤー乃至チェーン５２を介設して，ターンバックル５１を回転操作することによってその緊結を行なうようにしてある。
【００２７】
このとき本例の各縦枠２２における２箇所の連結部５０は，例えば養生枠１１側においてその縦枠１３長手方向中央位置と下方位置，特に下端近傍位置に配置し，サポート枠２０側においてその縦枠２２長手方向中央位置と上方位置，特に上端近傍位置に配置し，一方のターンバックル５１付きのワイヤー乃至チェーン５２を双方の中央位置間に水平に，他方のターンバックル５１付きのワイヤー乃至チェーン５１を養生枠１１の下方位置とサポート枠２０の上方位置間に傾斜して配置することによって，水平配置を引寄用，傾斜配置を吊り支持用として，該２本のターンバックル５１付きのワイヤー乃至チェーン５２を養生枠１１とサポート枠２０間で交差するように配置して，その緊結を少ない本数で可及的強固且つ確実になし得るようにしてある。
【００２８】
養生被覆材は底板パネル１５とシート１７によるものとして養生枠１１に配置するものとしてあり，このとき底板パネル１５は，これを養生枠１１の支持脚１１を一体に配置した下端の横枠１２上に載置し，例えば横枠１２上面に透設した透孔にボルト等によるピンを挿入することによってその位置ズレ防止の簡易な固定を行なう一方，シート１７と該底板パネル１５との重合部分及び底板パネル１５先端部分に上記と同様に接着テープを貼着する等して空隙を閉塞するようにしてある。
【００２９】
図中４２は養生枠１１の，例えば中間の横枠１２長手方向中間に設置した一対の養生枠把持用の取手を示す。その余は上記例と変らないので重複する説明を省略する。
【００３０】
本例の養生装置１０の建物開口部４への設置は，上記例と同様に開放した建物開口部４から養生枠１１を外側に持ち出して手持ち支持した状態で，室内側のサポート枠２０との間で緊結材による緊結を行なって，養生枠１１とサポート枠２０によって躯体壁面３を挟持することによって行なうものとしてあり，具体的には，例えばシート１７を設置し縮小折畳み状態とした養生枠１１を，そのシート１７から室内側に露出させた取手４２を両手で手持ちして建物開口部４からその外側に持ち出して伸張してその支持脚１４を建物開口部４の躯体壁面３外側左右に対接した状態で該養生枠１１を外側に手持ち支持状態に維持する一方で，室内側でサポート枠２０を伸張して養生枠１１と対向するように建物開口部４の躯体壁面３内側左右に対接した状態で，ターンバックル５１付きのワイヤー乃至チェーン５２を養生枠１１の縦枠１３とサポート枠２０の縦枠２２の各連結部５０に，例えばカラビナを用いることによって引掛係止して介装し養生枠１１とサポート枠２０間でこれらを交差するように配置してそれぞれターンバックル５１を回転操作してそれぞれの引寄せ連結による緊結を行なって養生枠１１とサポート枠２０によって建物開口部４の躯体壁面３をその内外側から強固に挟持した状態とするように養生枠１１を引寄せ状に保持し，その後に底板パネル１５を養生枠１１の下端横枠１２に載置してそのピン止めを施し，接着テープ１９の貼着によって隙間を塞ぐようにして，上記と同様に建物開口部４にサポート枠２０に保持した養生枠１１を個別に設置するようにしてある。同じく該養生装置１０の設置後に窓改装等の建物開口部工事を行い。工事終了後に底板パネル１５の清掃と，上記と逆の手順による解体除去を行なうものとしてある。
【００３１】
このように形成した各養生装置１０は，専門業者による足場設置を不要化して，工事を行なうべき建物開口部４毎の養生ができ，足場設置に伴う問題点を解消することが可能となり，室外側の養生枠１１と室内側のサポート枠２０を対として備え，室内側のサポート枠２０によって室外側の養生枠１１を引寄せ状に保持することによって，簡単な構造にして可及的容易にその設置と撤去をなし得るようにするとともにそれぞれサポート枠２０による養生枠１１の引寄せ状の保持を安定且つ強固になし得るものとして，養生枠１１を室外側に設置することに伴う危険を解消して養生作用を高度に確保したものとすることができ，低コストにして安全な建物開口部の工事を行なうことができる。
【００３２】
図示した例は以上のとおりとしたが，腕木を養生枠に設置してこれにサポート枠を連結するようにすること，上記サポート枠に連結する養生枠を伸縮自在のものとして構成すること，養生枠とサポート枠間に腕木による連結と緊結材による緊結とを併用すること，躯体壁面に対接する支持脚の先端にゴム等のキャップを設置して摩擦抵抗を大きくして対接を確実にし，また躯体壁面に対接傷等が発生するのを予防すること，養生被覆材のパネルをこれに透設した透孔に通した紐乃至ワイヤーによって横枠乃至縦枠に結束固定すること等を含めて，本発明の実施に当って養生装置，養生枠，支持脚，サポート枠，引寄せ状の保持手段等の各具体的形状，構造，材質，これらの関係，これらに対する付加，養生装置の設置の方法等は，上記発明の要旨に反しない限り様々な形態のものとすることができ，上記例示したものに殊更限定するには及ばない。
【図面の簡単な説明】
【００３３】
【図１】養生装置を示す室外側からの斜視図である。
【図２】養生装置の設置状態を示す斜視図である。
【図３】養生装置の設置状態を示す縦断面図である。
【図４】養生装置の設置状態を示す横断面図である。
【図５】養生枠と養生被覆材との関係を示す縦断面図である。
【図６】サポート枠の腕木による連結状態を示す部分側面図である。
【図７】固定プレートの設置状態を示す縦枠上方の斜視図である。
【図８】他の例に係る固定プレートの設置状態を示す縦枠上方の斜視図である。
【図９】他の例の養生装置を示す室内側からの斜視図である。
【図１０】養生装置の設置状態を示す斜視図である。
【図１１】養生装置の設置状態を示す縦断面図である。
【図１２】養生枠の部分縦断面図である。
【符号の説明】
【００３４】
１０  養生装置
１１  養生枠
１２  横枠
１３  縦枠
１４  支持脚
２０  サポート枠
２１  横枠
２２  縦枠
２３  腕木
３０  クランプ
５１  ターンバックル
５２  ワイヤー
【図１】
2006152695.tif 000003
【図２】
2006152695.tif 000004
【図３】
2006152695.tif 000005
【図４】
2006152695.tif 000006
【図５】
2006152695.tif 000007
【図６】
2006152695.tif 000008
【図７】
2006152695.tif 000009
【図８】
2006152695.tif 000010
【図９】
2006152695.tif 000011
【図１０】
2006152695.tif 000012
【図１１】
2006152695.tif 000013
【図１２】
2006152695.tif 000014